(57)【要約】【課題】  装飾体の傷を隠したり、装飾体の反射光による乱反射を創出して、中級グレードの装飾体を使用しつつ、無傷で強い輝きを有する最高級グレードの装飾体と同様の装飾的効果を発揮すること。【解決手段】 複数本の鎖線により網カバーを構成し、該網カバー内に塊状の装飾体を包含し、網カバーにおける網目の面積を装飾体の一側より他側に向かってそれぞれ小、大、中の比率として、網カバーの全体形状を略球体に形成した網カバー装身具。【選択図】 図２
0003134533.tif 000002
【実用新案登録請求の範囲】
【請求項１】
複数本の鎖線により網カバーを構成し、該網カバー内に塊状の装飾体を包含してなる装身具において、前記網カバーにおける網目の面積を前記装飾体の一側より他側に向かってそれぞれ小、大、中の比率とすることで、前記網カバーの全体形状が略球体に形成されていることを特徴とする装身具。
【請求項２】
前記網目の形状が、略涙型であることを特徴とする請求項１に記載の装身具。
【請求項３】
前記網目は、小、大、中の比率とされた長さの鎖線を折り曲げて、それぞれ小、大、中の略涙型枠を形成した後、各略涙型枠を溶着してなり、全体的に前記網カバーを形成することを特徴とする請求項２に記載の装身具。
【請求項４】
前記網目の形状が、略菱型であることを特徴とする請求項１に記載の装身具。
【請求項５】
前記網目は、等間隔に並べられた複数の鎖線を傾斜して交差させ、先端部から第１の交点までの距離、第１の交点から第２の交点までの距離、第１の交点から第２の交点までの距離が小、大、中の比率とされるよう交点を溶着してなり、全体的に前記網カバーを形成することを特徴とする請求項４に記載の装身具。
【請求項６】
前記網カバーにおける小の網目側に吊り下げ部を取り付ける共に、中の網目側には鎖線を垂下して、装飾体を網カバーにより包含したペンダントヘッドを形成することを特徴とする請求項１から５に記載の装身具。
【考案の詳細な説明】
【技術分野】
【０００１】
この考案は、貴石等による装飾体を鎖線による網カバーで包含し、ネックレスやペンダントとして用いる装身具に関するものである。
【背景技術】
【０００２】
従来、例えば、図１０に示すように、真珠や他の半貴石を装飾体１０２として用い、塊状の装飾体１０２をそれぞれ鎖線による網カバー１０４で包含して連ねてネックレス１００を形成する装身具が存在した。かかるネックレス１００は、網目模様により通常の真珠等のネックレスとは異なる趣味感を与え、かつ衝撃や引張りに対する強度を高めて安全性の高いものである。
【考案の開示】
【考案が解決しようとする課題】
【０００３】
しかしながら、このようなネックレス１００は、単に鎖線を捩ってその交点を溶着し、装飾体１０２の周囲に均一な網目１０６により寸胴な網カバー１０４を形成していただけである。したがって、装飾体１０２に網カバー１０４の網目１０６が接する部分もあるが、空間部分１０７が必ずできてしまい、デザイン的に不均一でかつ装飾体の傷を隠したり、その輝きを間接的に高めるような技術的効果を発揮することはできなかった。
【０００４】
この考案は、上記した従来の欠点を解決するためになされたものであり、その目的とするところは、網目の寸法や形状を工夫することにより、網カバーが真珠等の装飾体の表面に均一に接し、装飾体の表面傷を隠すことができると共に網カバーにより装飾体の反射光を巧みに利用して、そのグレードを著しく向上させることができる装身具、特にそのようなペンダントヘッドを提供することを目的とする。
【課題を解決するための手段】
【０００５】
この考案に係る装身具は、前記目的を達成するために、次の構成からなる。すなわち、請求項１に記載の考案に係る装身具は、複数の鎖線により網カバーを構成し、該網カバー内に塊状の装飾体を包含してなる装身具において、前記網カバーにおける網目の面積が前記装飾体の一側より他側に向かってそれぞれ小、大、中の比率とすることで、前記網カバーの形状が略球体に形成されていることを特徴とする。
【０００６】
この装身具は、編カバーの網目が小、中、大の比率で形成されているため、網カバーがなだらかに湾曲し、全体として略球体に形成されて、塊状をなす装飾体の表面に均一に接することになる。よって、装飾体の表面に形成された傷を隠し、一方ではその反射光を網カバーが隙間なく反射して、装飾体をより輝かせてその美しさをさらに高めることができる。
【０００７】
また、請求項２に記載の考案に係る装身具は、前記網目の形状が、略涙型であることを特徴とする。請求項３に記載の考案に係る装身具は、前記網カバーにおける網目は、小、大、中の長さからなる単一の鎖線を折り曲げて、それぞれ小、大、中の略涙型枠を形成した後、各略涙型枠を溶着し全体的に網カバーを形成することを特徴とする。
【０００８】
この装身具は、編カバーの網目が略涙型に形成されているから、網カバーの製造は、小、大、中の長さからなる単一の鎖線を折り曲げて、包含する装飾体の大きさや形状と合致させつつ、それぞれ小、大、中の略涙型を形成した後、各略涙型枠を溶着すれば良く、所望の網カバーを容易に形成することができる。
【０００９】
そして、請求項４に記載の考案に係る装身具は、前記網目の形状が、略菱型であることを特徴とする。請求項５に記載の考案に係る装身具は、前記網カバーにおける網目は、先端部に等間隔に取り付けられた複数の鎖線を交差して、先端部から第１の交点までの距離、第１の交点から第２の交点までの距離、第１の交点から第２の交点までの距離がそれぞれ小、大、中の比率となるよう各交点を溶着し全体的に網カバーを形成することを特徴とする。
【００１０】
この装身具は、複数の鎖線の先端部を等間隔に並べてから、包含する装飾体の大きさや形状と調節しつつ、先端部から第１の交点までの距離、第１の交点から第２の交点までの距離、第１の交点から第２の交点までの距離がそれぞれ小、大、中の比率となるよう各交点を交差して、それぞれの交差点を溶着する。特に、鎖線が微細な多数のコマから形成される金属鎖の場合には、その距離はコマ数を数えることで正確に調節できる。
【００１１】
さらに、請求項６に記載の考案に係る装身具は、前記網カバーにおける先端部には吊り下げ部を形成すると共に、下端部の網目から複数本の鎖線を垂下してペンダントを形成することを特徴とする。
【００１２】
この装身具は、網カバーが装飾体の表面の傷を隠し反射光を創出するばかりか、垂下した鎖線が反射光をさらに乱反射する。よって、装飾体を美しく輝かせてその装飾的効果を強く高めることができる。特に、ペンダントとして装身具を構成する場合には、このような装飾的効果を持たせると効果的である。
【考案の効果】
【００１３】
この考案に係る装身具によれば、網カバーにより装飾体の傷を隠したり、装飾体の反射光を鎖線による乱反射を創出することができ、例えば、中級グレードの真珠を装飾体として使用する場合であっても、いかにも無傷で強い輝きを有する最高級グレードの真珠と同様の装飾的効果を発揮することができる。
【考案を実施するための最良の形態】
【００１４】
以下、この考案を実施するための最良の形態のいくつかを図面に基づいて説明する。図１は、本考案に係る第１網カバー及び第１装飾体を示す正面図、図２は、第１装飾体を第１網カバーに取り付けた状態を示す正面図、図３は、その使用状態を示す説明図、図４は、その製造方法を示す説明図である。
【００１５】
第１網カバー１０においては、例えば、金、プラチナ、シルバー等を素材とする金属鎖１２を使用し、それぞれ小１４、大１５、中１６の長さに切断された単一の鎖線を組み合わせる網目の数だけ用意し、それらの鎖線１２をペンチ等の宝石加工用工具を用いて、手作業で略涙型に折り曲げる。次いで、レーザー等の宝石加工用工具を用いてそれぞれの先端１３を溶着し、それぞれ小１４、大１５、中１６の網目を形成する。更に、下方に装飾体の取付け軸１８を設け、上方にネックレス等との吊り下げ部２０を設けた蓋体１９の周部裏面に、小１４の網目の先端１３を等間隔で溶着し、その下方には大１５の網目を逆方向に溶着し、さらに下方には中１６の網目を逆方向に溶着する。そして、中１６の網目の略涙型の円弧部中央にほぼ同一長さの単一線を溶着して垂下線１７とする。
【００１６】
一方、第１装飾体２２は、ある程度傷２４を有するが、真球に近い形状の真珠であって、その上方に取り付け穴２３を備えている。
【００１７】
このような第１網カバー１０は、全体形状を略球体とすることが可能で、上方には吊り下げ部２０と下方には開口部（図示せず。）が形成される。開口部より第１網カバー１０の大きさに対応した第１装飾体２２を挿入してから、その取付け穴２３に取付け軸１８を差し込み、強力接着剤等で双方を固定する。第１網カバー１０の網目はその形状より装飾体２２の表面に均一に軽く接し、装飾体２２の反射光を増大し、かつ垂下線１７が乱反射を生じさせる。したがって、第１網カバー１０で装飾体２２を包含することで、その輝きを著しく増大すると共に表面の傷２４を覆い隠すことができる。
【００１８】
第１網カバー１０と第１装飾体２２から形成される装身具は、単独ではネックレス等の中央に吊り下げて装飾性の高いペンダントヘッドとして使用することができる。また、複数個を連続してネックレス等に吊り下げれば装飾性の高いネックレスを構成することができる。
【００１９】
図５は、本考案に係る第２網カバーを示す正面図、図６は、第２装飾体を第２網カバーに取り付けた状態を示す正面図、図７は、その製造工程の概念を示す説明図である。
【００２０】
第２網カバー３０においては、例えば、金、プラチナ、シルバー等を素材とする金属鎖３２を使用し、ほぼ同一の長さに切断された単一線の２本を１組として、下方に装飾体の取付け軸３８を設け、上方にネックレス等との吊り下げ部４０を設けた蓋体３９の周部裏面に等間隔で溶着する（図示せず。）。ここで、使用する金属鎖３２の種類に特に限定はないが、後記する方法により第２装身具を製造する場合には、数を数えられるコマが連なって全体線を形成しているものが望ましい。
【００２１】
そして、第２網カバー３０の製造工程は、単一線の金属鎖３２を互いに交差する方向で順次斜めに折り曲げて行く。すなわち、金属鎖３２ａは、第１の交点Ｘでは隣の金属鎖３２ｂと交差し、第２の交点Ｙでは２つ隔てた金属鎖３２ｂと交差し、第３の交点Ｚでは７つ隔てた金属鎖３２ｄと交差する。また、金属鎖３２のコマ数を数えて、先端部αから第１の交点Ｘにより形成される網目３４、第１の交点Ｘから第２の交点Ｙにより形成される網目３５、第２の交点から第３の交点により形成される網目３６の面積がそれぞれ小、大、中の比率となるよう金属鎖３２を交差することが望ましい。
【００２２】
次に、レーザー等の宝石加工用工具を用いて、それぞれの交差点を溶着することで、略菱型の網目からなる第２網カバー３０が完成される。余った金属鎖については、同一の長さに切断し、そのまま放置して垂下線３７を形成する。
【００２３】
一方、第２装飾体４２は、ある程度傷４４を有し、卵型に近い形状の真珠であって、その上方に取り付け穴４３を備えている。
【００２４】
このような第2網カバー３０は、第1網カバー１０と同様に、全体として略球体を形成しかつ上方には吊り下げ部４０と下方には開口部（図示せず。）が形成される。開口部より第２網カバー３０の大きさに対応した第２装飾体４２を挿入してから、その取付け穴４３に取付け軸３８を差し込み、強力接着剤等で双方を固定する。第2網カバー３０の網目は第２装飾体４２の表面に均一に軽く接し、第２装飾体４２の反射光を増大し、かつ垂下線３７が乱反射を生じさせる。したがって、第２網カバー３０で第２装飾体４２を包含することで、その輝きを著しく増大すると共に表面の傷を覆い隠すことができる。また、第２網カバー３０で覆われた第２装飾体４２はほぼ真球に見えるという視覚的効果も生じる。
【００２５】
図８において、（ａ）は第３装飾体を示す正面図、（ｂ）は第４装飾体を示す正面図である。
【００２６】
第３装飾体５２は、例えば、水晶を使用し、全体的には真球に近い形状で多数のカット面５４にカットされた貴石からなる。第４装飾体６２は、例えば、めのうを使用し、全体的には真球に近い形状で縞模様６４を有する貴石からなる。そして、それぞれ取り付け穴５３、６３を備えている。
【００２７】
第３装飾体５２及び第４装飾体６２のいずれも、第1網カバー１０、第２網カバー３０のいずれにも使用することができ、色彩の相違により異なった視覚的効果を生じることができる。
【００２８】
図９において、（ａ）は第１網カバーと第１装飾体からなる装身具の他の実施例を示す側面図、（ｂ）はその使用方法を示す説明図である。
【００２９】
本実施例は、第１網カバー１０の蓋体１９の表面略中央にぶら下がり鎖２６が接続され、その先端には芯棒２５が突設されて、キャッチ（図示せず。）を使用して耳たぶ２７に装着することで、第１装飾体２２を主素材とするピアスとして使用するものである。前記同様に真珠等の輝きを増してその傷を隠すことができる。なお、本実施例では鎖線１７を取り付けても取り付けなくても良い。
【００３０】
以上、本考案に係る装身具について、いくつかの実施形態を説明したが、それを以って本考案を限定するものではなく、この考案の精神を逸脱しない限り、種々の改変を加えることができることはいうまでもない。例えば、本考案に係る装身具をブローチとして構成することもできるし、イアリングに取り付けることができることはもちろんである。
【図面の簡単な説明】
【００３１】
【図１】本考案に係る第１網カバー及び第１装飾体を示す正面図である。
【図２】第１装飾体を第１網カバーに取り付けた状態を示す正面図である。
【図３】第１装飾体の使用状態を示す説明図である。
【図４】第１装飾体の製造方法を示す説明図である。
【図５】本考案に係る第２網カバーを示す正面図である。
【図６】第２装飾体を第２網カバーに取り付けた状態を示す正面図である。
【図７】第２装飾体の製造工程の概念を示す説明図である。
【図８】（ａ）は第３装飾体を示す正面図、（ｂ）は第４装飾体を示す正面図である。
【図９】（ａ）は第１網カバーと第１装飾体からなる装身具の他の実施例を示す側面図、（ｂ）はその使用方法を示す説明図である。
【図１０】従来の網カバーを使用したネックレスの一例を示す正面図である。
【符号の説明】
【００３２】
１０  第１網カバー
１２  金属鎖
１２  鎖線
１３  先端
１４  小
１５  大
１６  中
１７  垂下線
１８  取付け軸
１９  蓋体
２０  吊り下げ部
２２  第１装飾体
２３  取り付け穴
２４  傷
２５  芯棒
２６  ぶら下がり鎖
２７  耳たぶ
３０  第２網カバー
３２  金属鎖
３２ａ  金属鎖
３２ｂ  金属鎖
３２ｄ  金属鎖
３４  第１の交点Ｘにより形成される網目
３５  第１の交点Ｘから第２の交点Ｙにより形成される網目
３６  第２の交点から第３の交点により形成される網目
３７  垂下線
３８  取付け軸
３９  蓋体
４０  吊り下げ部
４２  第２装飾体
４３  取付け穴
４４  傷
５２  第３装飾体
５３  取り付け穴
５４  カット面
６２  第４装飾体
６３  取り付け穴
６４  縞模様
１００  ネックレス
１０２  装飾体
１０４  網カバー
１０６  網目
１０７  空間部分
【図１】
0003134533.tif 000003
【図２】
0003134533.tif 000004
【図３】
0003134533.tif 000005
【図４】
0003134533.tif 000006
【図５】
0003134533.tif 000007
【図６】
0003134533.tif 000008
【図７】
0003134533.tif 000009
【図８】
0003134533.tif 000010
【図９】
0003134533.tif 000011
【図１０】
0003134533.tif 000012